(57)【要約】【課題】重ね合わせ装置におけるウエハとサポートプレートとの位置合わせの精度を向上させる。【解決手段】本発明に係る重ね合わせ装置は、中心位置検出部３に保持された基板および支持体の中心位置を検出し、基板および支持体を中心位置検出部３から重ね合わせ部６に搬送してから、重ね合わせ部６において、検出した基板および支持体の中心位置が重なるように基板および支持体を重ね合わせるようになっている。【選択図】図１
2014007299.tif 000002
【特許請求の範囲】
【請求項１】
基板と当該基板を支持する支持体とを重ね合わせる重ね合わせ部と、
重ね合わされる前の上記基板および上記支持体の端面を撮像する複数の撮像手段と、
上記撮像手段によって撮像される上記基板および上記支持体を保持する保持部と、
上記撮像手段が撮像した複数の画像から、上記基板および上記支持体のそれぞれの中心位置を検出するようになっている中心位置検出部と、
中心位置を検出した後の上記基板および上記支持体を上記保持部から上記重ね合わせ部へ搬送する搬送手段と、を備えており、
上記重ね合わせ部では、上記中心位置検出部が検出した上記基板および上記支持体の互いの中心位置が重なるように、上記基板および上記支持体を重ね合わせるようになっていることを特徴とする重ね合わせ装置。
【請求項２】
上記重ね合わせ部は、上記基板および上記支持体の互いの中心位置が重なるように、上記基板および上記支持体の少なくとも一方の面内方向の位置を調整する位置調整手段を備えていることを特徴とする請求項１に記載の重ね合わせ装置。
【請求項３】
上記撮像手段は、上記基板および上記支持体における第一の端面を撮像する第一の撮像手段と、上記基板および上記支持体における第一の端面とは異なる位置の第二の端面を撮像する第二の撮像手段とを備えていることを特徴とする請求項１または２に記載の重ね合わせ装置。
【請求項４】
上記基板および上記支持体の少なくとも何れかには、接着層が積層されており、
上記重ね合わせ部は、上記基板と上記支持体とを、上記接着層を介して重ね合わせるようになっていることを特徴とする請求項１〜３の何れか一項に記載の重ね合わせ装置。
【請求項５】
上記重ね合わせ部は、中心位置を検出した後の上記基板および上記支持体のうちの一方を支持する支持手段と、中心位置を検出した後の上記基板および上記支持体のうちの他方を掛止する掛止部材とを備えており、上記支持体に支持された上記基板および上記支持体のうちの一方に、掛止部材に掛止された上記基板および上記支持体のうちの他方を、上記基板および上記支持体の互いの中心位置が重なるように重ね合わせるようになっていることを特徴とする請求項１〜４の何れか一項に記載の重ね合わせ装置。
【請求項６】
複数の撮像手段によって、保持部に保持された基板および支持体の端面を撮像する撮像工程と、
上記撮像工程において撮像した複数の画像から、上記基板および上記支持体のそれぞれの中心位置を検出する中心位置検出工程と、
中心位置を検出した上記基板および上記支持体を上記保持部から重ね合わせ部へ搬送する搬送工程と、
上記重ね合わせ部において、検出した上記基板および上記支持体の互いの中心位置が重なるように、上記基板および上記支持体を重ね合わせる重ね合わせ工程と、を包含することを特徴とする重ね合わせ方法。
【発明の詳細な説明】
【技術分野】
【０００１】
本発明は、基板と支持体とを重ね合わせる重ね合わせ装置および重ね合わせ方法に関するものである。
【背景技術】
【０００２】
携帯電話、デジタルＡＶ機器およびＩＣカード等の高機能化に伴い、搭載される半導体シリコンチップ（以下、チップ）を小型化および薄板化することによって、パッケージ内にチップを高集積化する要求が高まっている。パッケージ内のチップの高集積化を実現するためには、チップの厚さを２５〜１５０μｍの範囲にまで薄くする必要がある。
【０００３】
しかしながら、チップのベースとなる半導体ウエハ（以下、ウエハ）は、研削することにより薄化され、その強度は弱くなり、ウエハにクラックまたは反りが生じやすくなる。また、薄板化することによって強度が弱くなったウエハを自動搬送することは困難であるため、人手によって搬送しなければならず、その取り扱いが煩雑であった。
【０００４】
そのため、研削するウエハにサポートプレートと呼ばれる、ガラスまたは硬質プラスチック等からなるプレートを貼り合わせることによって、ウエハの強度を保持し、クラックの発生およびウエハの反りを防止するウエハサポートシステムが開発されている。ウエハサポートシステムによりウエハの強度を維持することができるため、薄板化した半導体ウエハの搬送を自動化することができる。
【０００５】
ウエハとサポートプレートとは、粘着テープ、熱可塑性樹脂および接着剤等を用いて貼り合わせられている。サポートプレートが貼り付けられたウエハを薄板化した後、ウエハをダイシングする前にサポートプレートを基板から剥離する。
【０００６】
ここで、ウエハにサポートプレートを貼り合わせるとき、まず、重ね合わせ装置を用いてウエハとサポートプレートとを位置合わせを行った状態で重ね合わせてから、重ね合わせたウエハおよびサポートプレートを貼付装置に搬送して貼り合わせる技術が特許文献１，２に記載されている。
【先行技術文献】
【特許文献】
【０００７】
【特許文献１】特開２００８−１８２１２７号公報（２００８年８月７日公開）
【特許文献２】特開２０１２−０５９７５８号公報（２０１２年９月１７日公開）
【発明の概要】
【発明が解決しようとする課題】
【０００８】
しかし、従来技術では、重ね合わせ装置は、ウエハとサポートプレートとの外径を合わせるようになっている。一般に、サポートプレートは寸法にバラツキがある場合が多く、ウエハとサポートプレートとの外径を合わせた場合、このバラツキに起因してウエハとサポートプレートとの相対位置にもバラツキが生じる可能性がある。ウエハとサポートプレートとの相対位置にバラツキが生じると、その後のウエハの処理に悪影響を及ぼす。
【０００９】
本発明は、上記課題に鑑みてなされたものであり、重ね合わせ装置におけるウエハとサポートプレートとの位置合わせの精度を向上させる技術を提供することを主たる目的とする。
【課題を解決するための手段】
【００１０】
上記の課題を解決するために、本発明に係る重ね合わせ装置は、基板と当該基板を支持する支持体とを重ね合わせる重ね合わせ部と、重ね合わされる前の上記基板および上記支持体の端面を撮像する複数の撮像手段と、上記撮像手段によって撮像される上記基板および上記支持体を保持する保持部と、上記撮像手段が撮像した複数の画像から、上記基板および上記支持体のそれぞれの中心位置を検出するようになっている中心位置検出部と、中心位置を検出した後の上記基板および上記支持体を上記保持部から上記重ね合わせ部へ搬送する搬送手段と、を備えており、上記重ね合わせ部では、上記中心位置検出部が検出した上記基板および上記支持体の互いの中心位置が重なるように、上記基板および上記支持体を重ね合わせるようになっていることを特徴としている。
【００１１】
また、本発明に係る重ね合わせ方法は、複数の撮像手段によって、保持部に保持された基板および支持体の端面を撮像する撮像工程と、上記撮像工程において撮像した複数の画像から、上記基板および上記支持体のそれぞれの中心位置を検出する中心位置検出工程と、中心位置を検出した上記基板および上記支持体を上記保持部から重ね合わせ部へ搬送する搬送工程と、上記重ね合わせ部において、検出した上記基板および上記支持体の互いの中心位置が重なるように、上記基板および上記支持体を重ね合わせる重ね合わせ工程と、を包含することを特徴としている。
【発明の効果】
【００１２】
本発明によれば、保持部に保持された基板および支持体の中心位置を検出し、基板および支持体を保持部から重ね合わせ部に搬送してから、重ね合わせ部において、検出した基板および支持体の中心位置が重なるように基板および支持体を重ね合わせる。これにより、ウエハとサポートプレートとの位置合わせの精度を向上させることができる。
【図面の簡単な説明】
【００１３】
【図１】一実施形態における貼り合わせシステムの全体の構成を模式的に示す上面図である。
【図２】一実施形態における保持部の構成を模式的に示す上面図である。
【図３】（ａ）は、一実施形態における重ね合わせ部の構成を模式的に示す正面図であり、（ｂ）は（ａ）を簡略化した図である。
【図４】一実施形態における位置調整手段の構成を模式的に示す上面図である。
【図５】一実施形態における掛止部材の構成を模式的に示す上面図である。
【図６】一実施形態における貼り合わせユニットの構成を示す図である。
【図７】一実施形態における重ね合わせ装置の動作を説明する図である。
【発明を実施するための形態】
【００１４】
本発明に係る重ね合わせ装置は、基板と当該基板を支持する支持体とを重ね合わせる重ね合わせ部と、重ね合わされる前の上記基板および上記支持体の端面を撮像する複数の撮像手段と、上記撮像手段によって撮像される上記基板および上記支持体を保持する保持部と、上記撮像手段が撮像した複数の画像から、上記基板および上記支持体のそれぞれの中心位置を検出するようになっている中心位置検出部と、中心位置を検出した後の上記基板および上記支持体を上記保持部から上記重ね合わせ部へ搬送する搬送手段と、を備えており、上記重ね合わせ部では、上記中心位置検出部が検出した上記基板および上記支持体の互いの中心位置が重なるように、上記基板および上記支持体を重ね合わせる構成である。
【００１５】
そして、本発明に係る重ね合わせ方法は、複数の撮像手段によって、保持部に保持された基板および支持体の端面を撮像する撮像工程と、上記撮像工程において撮像した複数の画像から、上記基板および上記支持体のそれぞれの中心位置を検出する中心位置検出工程と、中心位置を検出した上記基板および上記支持体を上記保持部から重ね合わせ部へ搬送する搬送工程と、上記重ね合わせ部において、検出した上記基板および上記支持体の互いの中心位置が重なるように、上記基板および上記支持体を重ね合わせる重ね合わせ工程と、を包含する。
【００１６】
〔積層体〕
上記重ね合わせ装置は、基板と、上記基板を支持する支持体とを、上記基板および上記支持体の少なくとも何れかに積層された接着層を介して重ね合わせることによって積層体を形成する。すなわち、積層体は、基板と、例えば熱可塑性樹脂を含む接着層と、上記基板を支持するサポートプレート（支持体）とがこの順に積層されて形成されている。接着層は、基板およびサポートプレートの何れか一方に接着剤が塗布されることによって、または、接着剤が塗布されてなる接着テープを貼着することによって形成され得る。そして、形成した積層体を、例えば、ロボットアーム等の搬送装置によって、貼付装置の所定位置に載置（セット）し、押圧力を掛けることにより、基板とサポートプレートとを貼り合わせることができる。
【００１７】
なお、積層体を形成する形成方法および形成装置、つまり、接着層の形成方法や接着層形成装置等は、特に限定されるものではなく、種々の方法や装置を採用することができる。
【００１８】
また、上記基板は、サポートプレートに支持された（貼り付けられた）状態で、薄化、搬送、実装等のプロセスに供される。基板は、ウエハ基板に限定されず、例えば、サポートプレートによる支持が必要なセラミックス基板、薄いフィルム基板、フレキシブル基板等の任意の基板であってもよい。
【００１９】
上記サポートプレートは、基板を支持する支持体であり、接着層を介して基板に貼り付けられる。そのため、サポートプレートは、基板の薄化、搬送、実装等のプロセス時に、基板の破損または変形を防ぐために必要な強度を有していればよく、より軽量であることが望ましい。以上の観点から、サポートプレートは、ガラス、シリコン、アクリル系樹脂等で構成されていることがより好ましい。
【００２０】
上記接着層を構成する接着剤は、例えば、加熱することによって熱流動性が向上する熱可塑性樹脂を接着材料として含んでいればよい。熱可塑性樹脂としては、例えば、アクリル系樹脂、スチレン系樹脂、マレイミド系樹脂、炭化水素系樹脂等が挙げられる。
【００２１】
接着層の形成方法、即ち、基板またはサポートプレートに接着剤を塗布する塗布方法、或いは、基材に接着剤を塗布して接着テープを形成する形成方法は、特に限定されるものではないが、接着剤の塗布方法としては、例えば、スピンコート法、ディッピング法、ローラーブレード法、スプレー法、スリットノズル法等が挙げられる。
【００２２】
接着層の厚さは、貼り付けの対象となる基板およびサポートプレートの種類、貼り付け後の基板に施される処理等に応じて適宜設定すればよいが、１０〜１５０μｍの範囲内であることが好ましく、１５〜１００μｍの範囲内であることがより好ましい。
【００２３】
なお、基板からサポートプレートを剥離するときには、接着層に溶剤を供給して接着層を溶解すればよい。これにより、基板とサポートプレートとを分離することができる。このとき、サポートプレートに、その厚さ方向に貫通する貫通孔が形成されていれば、この貫通孔を介して接着層に溶剤を容易に供給することができるので、より好ましい。
【００２４】
また、基板とサポートプレートとの間には、両者の貼り付けを妨げない限り、接着層以外の他の層がさらに形成されていてもよい。例えば、サポートプレートと接着層との間に、光を照射することによって変質する分離層が形成されていてもよい。分離層が形成されていることにより、基板の薄化、搬送、実装等のプロセス後に光を照射することで、基板とサポートプレートとを容易に分離することができる。
【００２５】
〔貼り合わせシステム〕
本発明に係る重ね合わせ装置は、一実施形態において、基板４２とサポートプレート４１とを貼り合わせる貼り合わせシステムに組み込むことができる。
【００２６】
図１は、本実施の形態における貼り合わせシステム１を示す構成図であり、貼り合わせシステム１を真上から見た概略の構成を示している。図１に示されるように、貼り合わせシステム１は、貼り合わせユニット２、保持部３、第１外部搬送手段４および第１外部搬送手段走行路５を備えている構成である。貼り合わせユニット２は、減圧可能な重ね合わせ部６および減圧可能な貼付部７を含んで構成されている。このうち、保持部３および重ね合わせ部６によって、本実施形態に係る重ね合わせ装置が、貼付部７によって本実施形態に係る貼付装置が夫々構成される。
【００２７】
図１には、さらに、貼り合わせシステム１が備えているＦＯＵＰオープナー５０、基板４２に接着層を塗布するスピンナー５２、塗布された接着層を硬化させるベークプレート５１、第２外部搬送手段５４、および、基板４２を第１外部搬送手段４に引き渡すためのパスライン５３、が図示されている。
【００２８】
外部搬送手段４は、サポートプレート４１、基板４２および積層体４０を持ち運びできる構成を有しており、貼り合わせユニット２との間で、サポートプレート４１、基板４２および積層体４０の受け渡しが可能な構成となっている。外部搬送手段４は外部搬送手段走行路５上を移動する。このような機能を担う外部搬送手段４および外部搬送手段走行路５は従来公知の技術によって準備することができる。
【００２９】
（保持部）
図２は、保持部３の概略の構成を示す図である。図２に示すように、保持部３は、撮像部（第一の撮像手段、第二の撮像手段）１７ａ、１７ｂおよび中心位置検出部１９を備えており、重ね合わされる前の基板４２またはサポートプレート４１を保持するようになっている（なお、図２ではサポートプレート４１を保持している場合について示す。）。
【００３０】
撮像部１７ａ、１７ｂは、保持部３に保持された基板４２またはサポートプレート４１の互いに異なる端面（第一の端面、第二の端面）を含む領域１８ａ、１８ｂをそれぞれ撮像するようになっている。領域１８ａ、１８ｂは、例えば、保持部３に保持された基板４２またはサポートプレート４１の凡そ対角線上に設定されていることが好ましい。撮像部１７ａ、１７ｂは、例えば、ＣＣＤカメラであり得る。
【００３１】
中心位置検出部１９は、撮像部１７ａ、１７ｂが撮像した複数の画像に基づいて、保持部３に保持された基板４２またはサポートプレート４１の中心位置を検出する。中心位置検出部１９は、円板の端面の画像に基づいて、仮想円を算出し、中心位置を検出するようになっていればよい。端面の画像に基づく中心位置の検出技術は、公知の画像処理を用いればよく、特に限定されない。
【００３２】
（重ね合わせ部）
図３（ａ）は、重ね合わせ部６の概略の構成を示す図であり、図３（ｂ）は、図３（ａ）を簡略化した図である。図３（ａ）に示すように、重ね合わせ部６は、昇降ステージ（支持手段）２１、位置調整部（位置調整手段）２２、掛止部材２３、仮止め部（仮止め手段）２４、ヒータ２５および押圧部２６を備えている。図３（ｂ）に示すように、位置調整部２２および掛止部材２３は、水平方向に移動するようになっており、昇降ステージ２１および仮止め部２４は、鉛直方向に移動するようになっている。重ね合わせ部６には、サポートプレート４１および基板４２が別々に搬入される。
【００３３】
昇降ステージ２１は、サポートプレート４１もしくは基板４２、またはこれらを重ね合わせた積層体４０をその底面から保持する部材であり、例えば、サポートプレート４１もしくは基板４２、またはこれらを重ね合わせた積層体４０を吸着保持するチャックであり得る。昇降ステージ２１は、鉛直方向上下に移動可能であり、これにより、保持するサポートプレート４１、基板４２および積層体４０を鉛直方向上下に移動させることができる。
【００３４】
昇降ステージ２１におけるサポートプレート４１等の載置面２１ａは、載置物に疵を付けないよう、例えばポリテトラフルオロエチレン、ＰＥＥＫ等の樹脂によって形成することが好ましい。また、載置面２１ａには溝を形成することが好ましい。載置面２１ａに溝を形成することにより、重ね合わせ部６の内部を減圧するときに、サポートプレート４１、基板４２および積層体４０と、載置面２１ａとの間に気体が残留することを防止することができる。
【００３５】
位置調整部２２は、位置合わせのために、位置合わせの対象となるサポートプレート４１および基板４２の水平方向における位置を調節する部材である。位置調整部２２は、中心位置検出部１９が検出したサポートプレート４１および基板４２の中心位置に基づき、サポートプレート４１および基板４２の互いの中心位置が重なるように、サポートプレート４１および基板４２の少なくとも一方の面内方向の位置を調整するようになっている。例えば、図４に示すように、サポートプレート４１および基板４２の中心位置を予め定められた中心軸Ｏに重なるように調整するものであり得る。
【００３６】
このように、位置調整部４２は、中心位置検出部１９が検出した基板４２およびサポートプレート４１の互いの中心位置が重なるように、基板４２およびサポートプレート４１の少なくとも一方の面内方向の位置を調整する。これにより、重ね合わせ部６において、中心位置検出部１９が検出した基板および支持体の中心位置を重ねることができる。
【００３７】
なお、サポートプレート４１および基板４２の水平方向における位置を適切に調節できる限り、すなわち、サポートプレート４１および基板４２を所望の水平位置に移動させることができる限り、位置調整部２２の具体的な機構は特に制限されない。本実施の形態において位置調整部２２は、図４に示すように、押圧部２６ａ〜２６ｄによって押圧され、サポートプレート４１または基板４２に当接することによって、サポートプレート４１および基板４２の水平方向における位置を調整するようになっている。押圧部２６ａ〜２６ｄは、例えば、ステッピングモータ、エアシリンダ等によって構成することができる。
【００３８】
また、図３（ａ）中Ａ、Ｂに示すように、位置調整部２２がサポートプレート４１または基板４２に当接する位置は、一例において、２段階になっている。これによって、例えば、２種類のサイズを有する基板４２等を処理することができるようになっている。
【００３９】
掛止部材２３は、位置合わせを行ったサポートプレート４１（基板４２の位置合わせを先に行う場合には、基板４２）を、その水平位置を変化させずに重ね合わせを行うまで保持しておく部材である。図５は、掛止部材２３を上面側から見た図である。掛止部材２３は、サポートプレート４１の周縁部の一部をその下側から支持することによって、サポートプレート４１を安定に保持する。掛止部材２３は、水平方向に移動可能である。サポートプレート４１が昇降ステージ２１に載って掛止部材２３の上部まで運ばれるときには、掛止部材２３をサポートプレート４１と一切重ならない位置に移動させておく。本明細書では、この状態のとき、掛止部材２３が「抜き位置」にあると呼ぶ。サポートプレート４１がスペーサ挿入位置に運び込まれた後、掛止部材２３によってサポートプレート４１を支持できるように、掛止部材２３をサポートプレート４１と重なる位置に戻す。本明細書では、この状態のとき、掛止部材２３が「挿入位置」にあると呼ぶ。図５は、掛止部材２３が「挿入位置」にある状態を示している。掛止部材２３が挿入位置にあるときの、掛止部材２３のサポートプレート４１を支持する各部材とサポートプレート４１との重なりの幅ｄ３は、非限定的に、サポートプレート４１の周縁から内側にかけて１〜５ｍｍ程度であり得る。好適には５ｍｍである。また、掛止部材２３の大きさは、例えば、横幅ｄ４が５ｍｍであり得るが、これに限定されるものではない。
【００４０】
掛止部材２３の材質は特に限定されるものではなく、例えば、ステンレス鋼（ＳＵＳ）を面取りし、ポリテトラフルオロエチレン等で樹脂コートしたものを使用することができる。
【００４１】
仮止め部２４は、サポートプレート４１と基板４２とを重ね合わせる際に、基板４２に重ね合わせたサポートプレート４１の一部の領域を基板４２に向かって押圧するとともに加熱することによって、基板４２にサポートプレート４１を仮止めする部材である。すなわち、一部の領域に対して押圧および加熱を行うことによって、サポートプレート４１と基板４２とが挟む接着層の一部を軟化させる。その後、再冷却することにより、サポートプレート４１と基板４２とを仮止めすることができる。
【００４２】
このように、本実施形態によれば、サポートプレート４１と基板４２とを仮止めすることができるため、重ね合わせた積層体４０を、貼付部７に搬送する際に、基板４２とサポートプレート４１との相対位置にズレが生じることを首尾よく防止することができる。
【００４３】
仮止め部２４は、昇降ステージ２１と対になってサポートプレート４１と基板４２と挟むようになっており、仮止め部２４のサポートプレート４１に対する接触面２４ａの面積は、特に限定されず、サポートプレート４１と基板４２との仮止めの強度や、サポートプレート４１と基板４２との間におけるボイド等の発生等を鑑みて適宜設定すればよい。
【００４４】
なお、接触面２４ａが接触するサポートプレート４１上の領域は、サポートプレート４１の中央部であることが好ましい。これにより、バランスよくサポートプレート４１と基板４２とを仮止めすることができる。
【００４５】
また、仮止め部２４は、接触面２４ａを加熱するためのヒータ（加熱手段）２５を備えている。また、仮止め部２４の素材は、特に限定されないが、熱伝導性のよいアルミ等によって構成することができる。また、仮止め部２４は、例えば、ステッピングモータによって駆動され、ステッピングモータに掛かるトルクによってサポートプレート４１への押圧力が制御され得る。
【００４６】
また、仮止め部２４は、掛止部材２３よりも鉛直上方に設けられており、上下への移動が可能な構成となっている。仮止め部２４が下方に移動しておらず、そのため掛止部材２３に保持されているサポートプレート４１とは接触しない位置にあることを、本明細書では、仮止め部２４が「待機位置」にあるという。これに対し、仮止め部２４が下方に移動し、その結果、掛止部材２３に保持されているサポートプレート４１表面を押圧している位置にあることを、本明細書では、仮止め部２４が「接合位置」にあるという。仮止め部２４は、仮止め部２４が接合位置にあるときにサポートプレート４１表面の中心部分と接触するように設けられている。
【００４７】
（貼付部）
貼付部７は、位置合わせを行って重ね合わされた基板４２とサポートプレート４１とを貼り合わせる貼り合わせ手段を有している。貼り合わせ手段としては、基板４２とサポートプレート４１とを接着剤層を介して熱圧着により貼り合わせる構成が可能である。例えば、貼付部７内部の上下にプレスプレートを設け、この上下のプレスプレート間に、接合前の積層体４０を挟み込めるようにする構成が可能である。
【００４８】
（内部搬送手段）
重ね合わせ部６および貼付部７は、一つの処理室の内部を二つの処理室に仕切る壁を設けた構造とすることができる。このほかにも重ね合わせ部６および貼付部７は、重ね合わせ部６と貼付部７とがそれぞれの側面において隙間なく互いに接している構造であってもよい。重ね合わせ部６および貼付部７の境界には、重ね合わせ部６および貼付部７間で積層体４０の受け渡しを行うためのゲート８が設けられている。ゲート８はシャッターによって開閉が制御されている。また、重ね合わせ部６には、貼り合わせユニット２と外部搬送手段４との間でサポートプレート４１、基板４２および積層体４０の受け渡しを行うための開閉可能な受け渡し窓９が設けられている。重ね合わせ部６および貼付部７にはそれぞれ、公知の減圧手段が設けられており（図示せず）、各室の内部圧の状態を独立に制御することができる。
【００４９】
貼付部７が減圧可能な構成であるため、減圧雰囲気下において基板４２とサポートプレート４１とを接着剤層を介して貼り合わせることができる。減圧雰囲気下において接着剤層に基板４２を圧着させることによって、基板４２表面の凹凸パターンの窪みに空気が存在しない状態において、接着剤層を当該窪みに入り込ませることができるため、接着剤層と基板４２との間の気泡の発生をより確実に防止することが可能である。
【００５０】
ゲート８は、シャッターが開いた状態で、位置合わせがなされた積層体４０を重ね合わせ部６から貼付部７に移動させることができるように、また、接合後の積層体４０を貼付部７から重ね合わせ部６に移動させることができるように形成されている。重ね合わせ部６および貼付部７の何れも減圧させた状態でシャッターを開けることにより、接合前の積層体４０を重ね合わせ部６から貼付部７に減圧下で移動させることができる構造となっている。
【００５１】
貼り合わせユニット２にはさらにゲート８を介して重ね合わせ部６および貼付部７間で積層体４０の受け渡しを行う内部搬送手段（図６中の１０）が設けられている。
【００５２】
図６は、内部搬送手段１０を含めた貼り合わせユニット２の内部構成を上方から見た構成図である。内部搬送手段１０は、積層体４０を重ね合わせ部６と貼付部７との間で移動させることができる構成である限り、具体的な機構に特に制限はない。本実施の形態では、図６に示すように、内部搬送手段１０は、内部搬送アーム１１およびアーム旋回軸１２によって構成されている。内部搬送手段１０は、積層体４０をその下面から支持できる内部搬送アーム１１のアーム旋回軸１２を回転中心とした回動によって、積層体４０を移動させる機構となっている。詳しくは後述するが、本実施の形態では、回動の旋回軸が共通する２つの内部搬送手段１０が設けられている。アーム旋回軸１２は重ね合わせ部６側に設けられているが、貼付部７側に設けられた構成であってもよい。重ね合わせ部６と外部搬送手段４との間での受け渡しのストロークを短くすることができるという観点から、アーム旋回軸１２は、受け渡し窓９が形成されている側面に近い側に形成されていることが好ましい。図６中、「Ｂ」で示す二点鎖線は、内部搬送アーム１１の待機位置を表しており、「Ｃ」で示す二点鎖線は、内部搬送アーム１１の貼付部７での位置（貼付部受け渡し位置）を表している。
【００５３】
内部搬送アーム１１の回動速度は状況に応じた速度を設定することができる。そのため、内部搬送アーム１１が積層体４０を保持しているときには、内部搬送アーム１１を低速で回動させることができ、積層体４０を保持していないときには、内部搬送アーム１１を高速で回動させることができる。また、内部搬送アーム１１の回動の立ち上がりと停止とがスムーズになるように加減速を制御することができる。
【００５４】
図６に示すように、ゲート８は、シャッターが開いた状態において、回動する内部搬送アーム１１がゲート８を通過して積層体４０を貼付部受け渡し位置Ｃにまで運べるような幅の開口となっている。ゲート８の開閉には従来公知の手段を用いることができ、例えばゲートバルブ構造を適用できる。
【００５５】
〔重ね合わせ装置の動作〕
続いて、本実施形態に係る重ね合わせ装置（保持部３および重ね合わせ部６）の概略動作（本実施形態に係る重ね合わせ方法）について説明する。
【００５６】
図７は、本実施形態における重ね合わせ装置の動作について、重ね合わせ部６の内部の状態により説明する図である。なお説明の便宜上、図３（ｂ）と同様に、位置調整部２２、掛止部材２３および仮止め部２４を保持または制御するためのそれぞれの部材については、その図示を省略している。
【００５７】
（１．保持部３へのサポートプレート４１の搬入）
外部搬送手段４を用いて、サポートプレート４１を保持部３に搬入する。そして、中心位置検出部１９が、サポートプレート４１の中心位置を検出する。詳細には、まず、撮像部１７ａおよび１７ｂが、保持部３に保持されたサポートプレート４１の端面を撮像する（撮像工程）。そして、中心位置検出部１９が、撮像部１７ａおよび１７ｂが撮像した複数の画像に基づいて、保持部３に保持されたサポートプレート４１の中心位置を検出する（中心位置検出工程）。
【００５８】
（２．重ね合わせ部６へのサポートプレート４１の搬入）
外部搬送手段４を用いて、サポートプレート４１を、受け渡し窓９を介して重ね合わせ部６内部に搬入し、昇降ステージ２１上に載置する（搬送工程、図７（ａ）参照）。なお、この時点において、掛止部材２３は抜き位置にしておき、仮止め部２４は待機位置にしておくことが好ましい。
【００５９】
（３．サポートプレート４１位置合わせ）
次に、サポートプレート４１を載せた昇降ステージ２１を、位置調整部２２が存在する位置まで移動させる。そして、位置調整部２２によって、（１）において検出したサポートプレート４１の中心位置が、予め定められた中心軸に重なるように、サポートプレート４１の水平方向における位置を調整する（重ね合わせ工程、図７（ｂ）参照）。
【００６０】
（４．掛止部材２３挿入−サポートプレート４１受け渡し）
サポートプレート４１の位置合わせが終了した後、サポートプレート４１を載せた昇降ステージ２１を、掛止部材２３を挿入する位置まで上昇させる。そして、掛止部材２３を挿入位置に移動させる（図７（ｃ）参照）。これにより、位置合わせを終えたサポートプレート４１の水平方向の位置を変えずに掛止部材２３によって保持させて、昇降ステージ２１を再び下降させることができるようになる。
【００６１】
（５．保持部３へのサポートプレート４１の搬入）
外部搬送手段４を用いて、基板４２を保持部３に搬入する。そして、中心位置検出部１９が、基板４２の中心位置を検出する。詳細には、まず、撮像部１７ａおよび１７ｂが、保持部３に保持された基板４２の端面を撮像する（撮像工程）。そして、中心位置検出部１９が、撮像部１７ａおよび１７ｂが撮像した複数の画像に基づいて、保持部３に保持された基板４２の中心位置を検出する（中心位置検出工程）。
【００６２】
（６．基板４２搬入）
外部搬送手段４を用いて、基板４２を、受け渡し窓９を介して重ね合わせ部６内部に搬入し、昇降ステージ２１上に配置させる（搬送工程、図７（ｄ）参照）。基板４２を重ね合わせ部６内に搬入し終えて、受け渡し窓９を閉じた後に、重ね合わせ部６の減圧を開始する。重ね合わせ部６の減圧は、仮止めが終了した時点における重ね合わせ部６の減圧状態および貼付部７の減圧状態が、互いにほぼ同じ状態になるように行えばよい。好適には、１０Ｐａ以下である。
【００６３】
（７．基板４２位置合わせ）
次に、基板４２を載せた昇降ステージ２１を、位置調整部２２が存在する位置まで移動させる。そして、位置調整部２２によって、（５）において検出した基板４２の中心位置が、予め定められた中心軸に重なるように、基板４２の水平方向における位置を調整する（重ね合わせ工程、図７（ｅ）参照）。
【００６４】
（８．仮止めおよび掛止部材抜き）
位置合わせを終えた基板４２を載せた昇降ステージ２１を、サポートプレート４１と重ねる位置まで上昇させる。昇降ステージ２１が当該位置に到達した後、仮止め部２４をサポートプレート４１上に移動させる。これにより、仮止め部２４の接触面２４ａがサポートプレート４１の表面に接して、サポートプレート４１の表面を押圧した状態になる（重ね合わせ工程、図７（ｆ）参照）。同時に、ヒータ２５によって、接触面２４ａを加熱しておく。これによって、基板４２とサポートプレート４１との間の接着層を熱流動させ、仮止めする。
【００６５】
なお、接触面２４ａの温度は、例えば、接着層の接着材料である熱可塑性樹脂のガラス転移点（Ｔｇ）以上の温度になるまで加熱されることが好ましく、ガラス転移点（Ｔｇ）以上の温度になるまで加熱されることがより好ましい。接着層を熱可塑性樹脂のガラス転移点以上の温度まで加熱することによって、接着層の熱流動性が向上し、容易に変形するようになる。接着層、即ち、接着材料である熱可塑性樹脂の材質にもよるが、接触面２４ａの温度は２３〜３００℃であることが好ましく、加熱時間、つまり押圧時間は３〜３００秒間であることが好ましく、５〜１８０秒間であることがより好ましい。
【００６６】
また、仮止め部２４によってサポートプレート４１が基板４２に押し当てられた状態となった後に、掛止部材２３を抜き位置に戻す。これにより、サポートプレート４１と基板４２とが重なる部分の全体において、両者が重ね合わされた状態となる（重ね合わせ工程、図７（ｇ）参照）。
【００６７】
（９．重ね合わせ終了）
サポートプレート４１を基板４２とを重ね合わせた後、仮止め部２４を待機位置に戻す。次いで、サポートプレート４１と基板４２とを重ね合わせた積層体４０を載せた昇降ステージ２１を下降させる。以上により、重ね合わせが終了する（図７（ｈ）参照）。
【００６８】
（１０．積層体４０搬送）
ゲート８のシャッターを開いて、内部搬送手段１０を、重ね合わせ部６に移動させ、積層体４０を保持させる（図８（ｂ）参照）。そして、内部搬送手段１０が、積層体４０を貼付部７に搬送する（図８（ｂ）参照）。
【００６９】
以上のように、本実施形態に係る重ね合わせ装置では、中心位置検出部１９が検出した基板４２およびサポートプレート４１の互いの中心位置が重なるように、基板４２およびサポートプレート４１を重ね合わせることができる。これによって、サポートプレート４１の寸法にバラツキがある場合であっても、基板４２とサポートプレート４１との外径を合わせた場合とは異なり、基板４２とサポートプレート４１との相対位置にバラツキが生じることを防止することができる。具体的には、従来の方法では、１００μｍ程度のズレが生じていたところを、本実施形態を用いた場合には、５０μｍ程度に抑えることができた。
【００７０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７１】
本発明は、真空における基板および支持板の貼り合わせの精度を向上させることができるため、工業製品の製造分野に幅広く利用することができる。
【符号の説明】
【００７２】
１      貼り合わせシステム
２      貼り合わせユニット
３      保持部
４      外部搬送手段（搬送手段）
５      外部搬送手段走行路
６      重ね合わせ部（第１の処理室）
７      貼付部（第２の処理室）
８      ゲート
９      受け渡し窓
１０    内部搬送手段
１１    内部搬送アーム
１２    アーム旋回軸
１７ａ、１７ｂ  撮像部（第一の撮像手段、第二の撮像手段）
１８ａ、１８ｂ  撮像領域
１９    中心位置検出部
２１    昇降ステージ（支持手段）
２２    位置調整部（位置調節手段）
２３    掛止部材
２４    仮止め部（仮止め手段）
２５    ヒータ（加熱手段）
２６    押圧部
４０    積層体
４１    サポートプレート（支持体）
４２    基板
５０    ＦＯＵＰオープナー
５１    ベークプレート
５２    スピンナー
５３    パスライン
５４    第２外部搬送手段
【図１】
2014007299.tif 000003
【図２】
2014007299.tif 000004
【図３】
2014007299.tif 000005
【図４】
2014007299.tif 000006
【図５】
2014007299.tif 000007
【図６】
2014007299.tif 000008
【図７】
2014007299.tif 000009